(57)【要約】【課題】表示部を収容する筐体の後面側にスタンド部が取り付けられ、表示部を立てた状態で使用する場合には、スタンド部が縦置き状態における支持部を構成し、表示部を寝かせた状態で使用する場合には、スタンド部が横置き状態における支持部を構成する表示装置において、この表示装置を持ち運ぶ際等に、スタンド部が邪魔にならない表示装置を提供することを目的とする。【解決手段】縦置き状態と横置き状態の、少なくとも２つの使用状態が想定されている表示装置１は、表示部１０を収容する筐体２０の後面カバー２３に対してスタンド部３０が着脱できるようになっている。したがって、表示装置１を持ち運ぶ際等に、スタンド部３０を後面カバー２３から取り外すことができるため、表示装置１をカバン等に収納してもスタンド部３０が邪魔にならない。【選択図】図４
2014062933.tif 000002
【特許請求の範囲】
【請求項１】
表示部と、
前記表示部を収容する筐体と、
前記筐体の後面側に取り付けられたスタンド部と、を備え、
前記スタンド部は、前記表示部を立てた状態では縦置き支持部として機能し、前記表示部を寝かせた状態では横置き支持部として機能する表示装置であって、
前記スタンド部は、前記筐体に対して着脱できることを特徴とする表示装置。
【請求項２】
前記スタンド部は、前記筐体に対して着脱可能な着脱手段を備えるベース部と、
前記縦置き支持部及び前記横置き支持部として機能する突出部と、からなり、
前記着脱手段は、前記筐体の後面に沿って前記ベース部を移動することにより着脱するものであることを特徴とする請求項１に記載の表示装置。
【請求項３】
前記ベース部の移動を防止するロック部が設けられていることを特徴とする請求項２に記載の表示装置。
【請求項４】
前記ベース部は、前記筐体の下側部と重なる位置まで伸びており、
前記ロック部は、前記ベース部の前記筐体の下側部と重なる位置に設けられていることを特徴とする請求項３に記載の表示装置。
【請求項５】
前記ロック部は、前記ベース部の下側部に沿って移動することにより、施錠と解錠を行うスライド部を備えており、
前記ベース部の下側部には、スライド部よりも高い突起部が設けられていることを特徴とする請求項４に記載の表示装置。
【請求項６】
前記ベース部は、前記筐体の下側部と重なる位置まで延設されており、
前記ベース部の内側で、前記筐体の下側部と重なる位置に、前記スタンド部の前後方向への移動を防止する嵌合部が設けられていることを特徴とする請求項２に記載の表示装置。
【発明の詳細な説明】
【技術分野】
【０００１】
本発明は、表示部を備えた表示装置に関し、特に、立てた状態での使用と、寝かせた状態での使用を想定している表示装置に関する。
【背景技術】
【０００２】
表示部を備えた表示装置であって、立てた状態での使用と、寝かせた状態での使用という、少なくとも２つの使用状態を想定している表示装置があり、このような表示装置として、例えば特許文献１に記載されている携帯情報表示端末が知られている。
【０００３】
この特許文献１に記載されている携帯情報表示端末は、表示部が表面に設けられた筐体を備え、この筐体の表示部側の表面とは反対側の表面、つまり筐体の後面側に、支持部分が一体的に設けられている。そして、表示部を立てた状態で携帯情報表示端末を使用する場合には、この支持部分が底部支持部を構成し、表示部を寝かせた状態で携帯情報表示端末を使用する場合には、この支持部分が載置面に対して所定の角度傾斜させた状態で筐体を支持するように構成されている。
【先行技術文献】
【特許文献】
【０００４】
【特許文献１】特開２０１１−１４１３３０号公報
【発明の概要】
【発明が解決しようとする課題】
【０００５】
特許文献１に記載されているような表示装置は、支持部分であるスタンド部が筐体の後面側に一体的に設けられた構成となっている。したがって、スタンド部は、表示装置を上記のようにして使用する際には必要となるものであるが、例えば表示装置をカバンに収納して持ち運ぶような場合には邪魔になってしまうという問題がある。
【０００６】
特に、表示装置を立てた状態で安定して支えるには、スタンド部にはある程度の高さが必要であり、また、表示装置を寝かせた状態で使用する場合であっても、適正な角度で支持するためには、スタンド部にある程度の高さが必要となる。したがって、表示装置をカバンに収納するような場合、スタンド部は余計なスペースをとってしまうため、非常に邪魔なものとなってしまう。
【０００７】
また、立てた状態での使用や寝かせた状態での使用の他に、使用者が手に持って表示装置を使用する場合が考えらえる。その場合には、持ち方等によっては、使用者にとってスタンド部が邪魔になってしまうことがある。
【０００８】
そこで、本発明は、上記課題を解決するためになされたものであり、表示部を収容する筐体の後面側にスタンド部が取り付けられ、表示部を立てた状態で使用する場合には、スタンド部が縦置きにおける支持部を構成し、表示部を寝かせた状態で使用する場合には、スタンド部が横置きにおける支持部を構成する表示装置において、この表示装置を持ち運ぶ際等に、スタンド部が邪魔にならない表示装置を提供することを目的とする。
【課題を解決するための手段】
【０００９】
上記目的を達成するために、本発明の第１の態様は、表示部と、前記表示部を収容する筐体と、前記筐体の後面側に取り付けられたスタンド部と、を備え、前記スタンド部は、前記表示部を立てた状態では縦置き支持部として機能し、前記表示部を寝かせた状態では
横置き支持部として機能する表示装置であって、前記スタンド部は、前記筐体に対して着脱できることを特徴とする。
【００１０】
本発明の第１の態様によれば、表示部を立てた状態で使用する場合と、表示部を寝かせた状態で使用する場合の、少なくとも２つの使用状態が想定されている表示装置において、表示部を立てた状態では縦置き支持部として機能し、表示部を寝かせた状態では横置き支持部として機能するスタンド部が、表示部を収容する筐体に対して着脱できるようになっている。したがって、表示装置を持ち運ぶ際等に、スタンド部を筐体から取り外すことができるため、カバン等に収納しても邪魔にならない。
【００１１】
また、本発明の第２の態様は、第１の態様にかかる表示装置であって、前記スタンド部は、前記筐体に対して着脱可能な着脱手段を備えるベース部と、前記縦置き支持部及び前記横置き支持部として機能する突出部と、からなり、前記着脱手段は、前記筐体の後面に沿って前記ベース部を移動することにより着脱するものであることを特徴とする。
【００１２】
本発明の第２の態様によれば、筐体の後面に沿ってベース部を移動することで着脱できるので、例えば、スタンド部の着脱にネジを用いるような面倒な着脱作業を必要とすることなく、簡単に着脱することできる。
【００１３】
また、本発明の第３の態様は、第２の態様にかかる表示装置であって、前記ベース部の移動を防止するロック部が設けられていることを特徴とする。
【００１４】
本発明の第３の態様によれば、ロック部でロックしておくことにより、表示装置を使用している際に、スタンド部が使用者の意に反して外れてしまうことがない。
【００１５】
また、本発明の第４の態様は、第３の態様にかかる表示装置であって、前記ベース部は、前記筐体の下側部と重なる位置まで伸びており、前記ロック部は、前記ベース部の前記筐体の下側部と重なる位置に設けられていることを特徴とする。
【００１６】
本発明の第４の態様によれば、表示装置を手に持って使用する場合、通常使用者の指先は筐体の後面に位置することになるので、誤ってロック部を触ってしまうおそれを低減することができる。
【００１７】
また、本発明の第５の態様は、第４の態様にかかる表示装置であって、前記ロック部は、前記ベース部の下側部に沿って移動することにより、施錠と解錠を行うスライド部を備えており、前記ベース部の下側部には、スライド部よりも高い突起部が設けられていることを特徴とする。
【００１８】
本発明の第５の態様によれば、縦置き状態の使用時に、ロック部が載置面と接触して解錠してしまうことを防ぐことができる。
【００１９】
また、本発明の第６の態様は、第２の態様にかかる表示装置であって、前記ベース部は、前記筐体の下側部と重なる位置まで延設されており、前記ベース部の内側で、前記筐体の下側部と重なる位置に、前記スタンド部の前後方向への移動を防止する嵌合部が設けられていることを特徴とする。
【００２０】
本発明の第６の態様によれば、スタンド部の前後方向への移動、つまり筐体の後面とスタンド部とが近づいたり離れたりする方向への移動が規制されるので、スタンド部を筐体から外れ難くすることができる。
【図面の簡単な説明】
【００２１】
【図１】本発明の実施形態１に係る表示装置の立てた状態での斜視図（ａ）と、寝かせた状態での斜視図（ｂ）である。
【図２】本発明の実施形態１にかかる表示装置の背後からの斜視図である。
【図３】図２に示した表示装置からスタンド部を外した分解斜視図である。
【図４】図２に示した表示装置からスタンド部を分離した分解斜視図である。
【図５】図４に示すＡの拡大図（ａ）と、図４に示すＢの拡大図（ｂ）である。
【図６】図４に示すＣの拡大図（ａ）と、図４に示すＤの拡大図（ｂ）である。
【図７】本発明の実施形態２にかかる表示装置の背後からの斜視図である。
【発明を実施するための形態】
【００２２】
以下、本発明の実施形態を、図面を用いて詳細に説明する。但し、以下に示す実施形態は、本発明の技術的思想を具体化するための表示装置を例示するものであって、本発明をこの表示装置に特定することを意図するものではない。本発明は特許請求の範囲に含まれるその他の実施形態のものにも均しく適応し得るものである。なお、本発明の表示装置の具体的なものとしては、携帯用端末装置がある。
【００２３】
［実施形態１］
まず、図１、図２を参照して、実施形態１に係る表示装置１を説明する。図１（ａ）は、表示装置１を立てた状態で使用している時の表示装置１の斜視図である。図１（ｂ）は、表示装置１を寝かせた状態で使用している時の表示装置１の斜視図である。図２は、背後からみた表示装置１の斜視図である。
【００２４】
表示装置１は、表示部１０と、表示部１０を収容する筐体２０と、筐体の後面側に取り付けられているスタンド部３０と、で構成されている。そして、この表示装置１は、図１（ａ）、（ｂ）に示すように、少なくとも二つの使用状態が想定されている。
【００２５】
一つは、図１（ａ）に示すように、机等の載置面２に対して、立てた状態で表示装置１を使用する場合である（縦置き状態）。なお、表示装置１を立てた状態で使用するとは、表示部１０の表示面が載置面２に対して４５°以上の状態で表示装置１が使用される場合のことである。そして、縦置き状態では、スタンド部３０は、表示装置１を載置面２に対して所定の角度（例えば、６５°）傾斜させて支持しており、縦置き支持部として機能する。このように縦置き状態での使用としては、例えば、使用者が表示部１０に表示されるＴＶ等の映像を観る場合が考えらえる。
【００２６】
一方、もう一つは、図１（ｂ）に示すように、載置面２に対して、寝かせた状態で表示装置１を使用する場合である（横置き状態）。なお、表示装置１を寝かせた状態で使用するとは、表示部１０の表示面が載置面２に対して４５°以下の状態で表示装置１が使用される場合のことである。そして、横置き状態では、スタンド部３０は、表示装置１を載置面２に対して所定の角度（例えば、３５°）傾斜させて支持しており、横置き支持部として機能する。このように横置き状態での使用としては、先ほど述べた映像を観る場合の他に、例えば、後述する表示部１０の入力機能を使って、指先やスタイラスペンを使っての入力操作を行う場合が考えられる。
【００２７】
なお、以上のような縦置き状態と横置き状態では、スタンド部３０は表示装置１に取り付けられたままになっており、表示装置１は、縦置き状態と横置き状態とで上下が逆転することになる。また、表示装置１の上下の逆転に伴って、表示部１０での表示方向も上下逆転することになる。以下の説明においては、縦置き状態における表示装置１を基準に上下の方向を規定して述べる。
【００２８】
つぎに、図１、図２とともに、図３を参照して、表示装置１の構成について詳細を説明する。図３は、図２に示した表示装置１の分解斜視図である。なお、図３では、スタンド部３０は図示されていない。
【００２９】
表示部１０は、表示面となる表示パネル１１（図３では図示せず）と、図示していない制御基板や、制御基板と表示パネル１１とを接続するフレキシブルプリント基板等で構成されている。表示パネル１１は、液晶パネルや有機ＥＬパネル等のフラットパネルディスプレイである。また、表示パネル１１は、図示するように、表示装置１を縦置き状態或いは横置き状態で使用する際に、横方向に長い矩形状のパネルとなっている。
【００３０】
また、表示部１０は、タッチパネル等の入力デバイスを表示パネル１１とともに備えており、入力部としての機能も備えている。そして、使用者は、入力部としての機能も備えた表示部１０を有する表示装置１を用いて、表示部１０を介して画像をみるだけなく、表示部１０を介して指先や後述するスタイラスペン４０等を使った入力操作を行うこともできる。なお、入力デバイスは、表示パネル１１と別体でも、表示パネル１１内に内蔵されている構成でもよい。また、上記のように、縦置き状態と横置き状態で表示部１０での表示方向が上下逆転するので、表示部１０は使用状態に応じて適正な表示方向へ表示を変更できるようになっている。
【００３１】
筐体２０は、表示部１０を収容するものであり、本実施形態では、前面カバー２１と、中枠２２と、後面カバー２３と、で構成されている。
【００３２】
前面カバー２１は、表示部１０の表示パネル１１を露出するための開口部２４が設けられた額縁部２４ａと、額縁部２４ａの端部から後側に立設し、表示部１０の側部を覆う上側部２１ａ、下側部２１ｂ、側部２１ｃ、２１ｄからなる。
【００３３】
中枠２２には、前部２２ａに表示パネル１０が載置され、後部２２ｂに表示パネル１０用の制御基板や、通信用基板等の制御部が載置される。また、前部２２ａや後部２２ｂの表面には、各種の基板や基板等と接続するフレキシブルプリント基板等を固定するためのフックや溝が複数設けられている。
【００３４】
後面カバー２３は、中枠２２の後部２２ｂ全体を覆うカバー部２５と、カバー部２５の端部から前側に立設し、表示部１０の側部を覆う上側部２３ａ、下側部２３ｂ、側部２３ｃ、２３ｄからなる。なお、後面カバー２３については、詳細を後述する。
【００３５】
以上のような筐体２０に表示部１０が収容されている。また、本実施形態においては、前面カバー２１の上側部２１ａ、下側部２１ｂ、側部２１ｃ、２１ｄと、後面カバー２３の上側部２３ａ、下側部２３ｂ、側部２３ｃ、２３ｄとが互いに係合し、筐体２０の上側部２０ａ、下側部２０ｂ、側部２０ｃ、２０ｄが形成されている。
【００３６】
なお、本実施形態においては、この上側部２０ａと側部２０ｃとで形成される角に収納孔２０ｅが形成されており、この収納孔２０ｅを介して、筐体２０内にスタイラスペン４０が出し入れ可能に収容される。このスタイラスペン４０は、使用者が表示部１０を介して入力操作を行う際に用いるためのものである。
【００３７】
そして、筐体２０の後面カバー２３にスタンド部３０を取り付けて表示装置１は構成されている。つぎに、この後面カバー２３とスタンド部３０の詳細について、図４、図５、図６を用いて詳細に説明する。図４は、図２に示した表示装置１からスタンド部３０を分離した斜視図である。なお、図４に示されているスタンド部３０は、スタンド部３０の内部がわかるように前後が逆になって示されている。また、図５（ａ）は、図４のＡの拡大
図、図５（ｂ）は、図４のＢの拡大図である。さらに、図６（ａ）は、図４のＣの拡大図、図６（ｂ）は、図４のＤの拡大図である。
【００３８】
まず、本実施形態のスタンド部３０は、後面カバー２３へ着脱可能に取り付けられるベース部３１と、このベース部３１から後側に伸びる突出部３２とで構成されている。このベース部３１と突出部３２とは、樹脂による一体成型によって作られている。
【００３９】
ベース部３１は、後面カバー２３の下方側の形状に沿った形状をしており、後述する着脱手段によって、後面カバー２３に対して着脱可能に取り付けられるものである。突出部３２は、ベース部３１側から、載置面２と接触する先端側に向かって徐々に細くなっている。そして、先端には緩衝材としてのラバー３２ａが取り付けられている。
【００４０】
また、ベース部３１は、後面カバー２３の下側部２３ｂを覆うように重なりながら、下側部２３ｂの端部まで伸びており、ベース下側部３１ｂを形成している。また、ベース部３１は、後面カバー２３の側部２３ｃ、２３ｄを覆うように重なりながら、側部２３ｃ、２３ｄの端部まで伸びており、ベース側部３１ｃ、３１ｄを形成している。
【００４１】
そして、このベース部３１には、着脱手段である２つのフック部３３ａ、３３ｂが形成されている。この２つのフック部３３ａ、３３ｂは、ベース部３１の上端に設けられており、また、ベース部３１の左右の両端近傍に設けられている。
【００４２】
一方、後面カバー２３のカバー部２５には、図４や図５（ｂ）に示すように、ベース部３１と重なるベース載置部２５ａが、ベース部３１の厚み分だけ低く窪んで形成されている。そして、このベース載置部２５ａには、フック部３３ａ、３３ｂに対応する位置に、フック係合部２６ａ、２６ｂがそれぞれ設けられている。
【００４３】
フック係合部２６ａには、フック部３３ａが係合できるよう、ベース載置部２５ａから少し窪んでいる受け部１２６ａと、この受け部１２６の側面から後面カバー２３の内側へフック部３３ａを挿入するための開口部２２６ａとが設けられている。なお、同様に、フック係合部２６ｂにも、フック部３３ｂが係合できるよう、受け部１２６ｂと、開口部２２６ｂとが設けられている。
【００４４】
そして、スタンド部３０のベース部３１をベース載置部２５ａに沿って移動させると、フック部３３ａ、３３ｂが、それぞれ受け部１２６ａ、１２６ｂへ達し、更にベース部３１をベース載置部２５ａに沿って移動させることで、フック部３３ａ、３３ｂがそれぞれ開口部２２６ａ、２２６ｂを介して、後面カバー２３内へ挿入され、後面カバー２３の内側と係合されることになる。そして、後面カバー２３にスタンド部３０が取り付けられと、図２に示すように、ベース部３１表面と、カバー部２５の表面は、略面一となる。また、後面カバー２３からスタンド部３０を取り外す際には、ベース部３１をベース載置部２５ａに沿って、取り付ける時とは反対の方向へ移動させることによって、スタンド部３０を取り外すことができる。
【００４５】
このように、本実施形態の表示装置１においては、スタンド部３０のベース部３１を、後面カバー２３のベース載置部２５ａに沿って移動させることで、表示装置１からスタンド部３０を着脱できるように構成している。したがって、例えば、着脱手段をネジ等で構成する場合に比べ、スタンド部３０の着脱を簡単に行うことができる。また、表示装置１からスタンド部３０を取り外した状態でも、スタンド部３０の位置にはベース載置部２５ａがあり、筐体２０の内部が露出してしまうこともないので、スタンド部３０のない状態で表示装置１を手に持って使用することができる。
【００４６】
ところで、本実施形態においては、上記のように、ベース部３１を、ベース載置部２５ａに沿って移動させることで、表示装置１に対してスタンド部３０が着脱できるようになっている。したがって、例えば、表示装置１を手に持って使用している際に、突出部３２に使用者の指が当たったりすると、ベース部３１がベース載置部２５ａを移動してしまい、使用者が意図していない時に、スタンド部３０が表示装置１から外れてしまうことがある。
【００４７】
そこで、本実施形態において、表示装置１には、ベース載置部２５ａでのベース部３１の移動を防ぐためのロック部４１が設けられている。このロック部４１には、ベース下側部３１ｂに設けられたスライド部４２と、後面カバー２３のベース載置部２５ａに設けられたロック係合部４３とが備わっている。
【００４８】
スライド部４２は、２つのフック部３３ａ、３３ｂの間に位置している。そして、スライド部４２には、図６（ａ）に示すように、使用者によってベース下側部３１ｂの側面に沿って移動されるロックスイッチ４４と、ロックスイッチ４４の移動に伴って移動するロック用突起４５と、ロックスイッチ４４の施錠時と解錠時のクリック感を与えるための弾性部４６とが備わっている。また、ロック係合部４３には、図６（ｂ）に示すように、ロック用突起４５が収まる挿入部４７と、挿入部４７の側壁を成す施錠壁４８とが備わっている。そして、ロック部４１は、施錠壁４８に対するロック用突起４５の位置によって、ベース部３１の移動が不可能な施錠状態（施錠壁４７ありの位置）と、ベース部３１の移動が可能な解錠状態（施錠壁４７なしの位置）を実現している。
【００４９】
なお、弾性部４６は、突起４６ａと、この突起４６ａに弾性を付与するための開口部４６ｂを備えており、ロックスイッチ４４の施錠時と解錠時のクリック感は、この突起４６ａが、接触部材４６ｃ（図４参照）に形成された接触面の溝（或いは突起）と係合したり外れたりすることよって与えられる。この接触部材４６ｃは、図６（ａ）に示すロック用突起４５の両側にあるネジ４９によってスライド部４２に固定されている。
【００５０】
このように、本実施形態においては、ベース載置部２５ａでのベース部３１の移動を防ぐためのロック部４１を設けておくことで、施錠状態では、使用者が意図していない時に、スタンド部３０が表示装置１から外れないようになっている。
【００５１】
また、本実施形態においては、ロック部４１におけるロックスイッチ４４が、スタンド部３０の突出部３２からは離れた位置である、ベース部３１のベース下側部３１ｂに形成されている。例えば、使用者が表示装置１を持ち上げたり、持って使用したりすると、後面カバー２３側に手が位置することになる。したがって、表示装置１の後側となる突出部３２の近くにロックスイッチ４４が設けられていると、ロックスイッチ４４に指が触れたり、無意識にロックスイッチ４４を触ったりして、ロック部４１が解錠状態になってしまうおそれがある。しかしながら、本実施形態のように、ロックスイッチ４４がベース下側部３１ｂに位置することによって、上記のようなおそれが低減されることになる。
【００５２】
ところで、本実施形態においては、ロック部４１におけるロックスイッチ４４が、ベース下側部３１ｂに形成されている。したがって、図１（ａ）に示した表示装置１を縦置き状態で使用する場合に、表示装置１の向きを変えたりすると、ロックスイッチ４４が載置面２と接触して移動することで、解除状態になってしまうおそれがある。
【００５３】
そこで、本実施形態においては、スタンド部３０のベース下側部３１ｂにおいて、ロックスイッチ４４の両側に、突起部３４を設けている。この突起部３４の高さは、ロックスイッチ４４の表面よりも高くなっている。そして、図１（ａ）に示した表示装置１を縦置き状態で使用する場合に、２つの突起部３４が載置面２と直接接触しており、ロックスイ
ッチ４４が載置面２と接触しないようになっている。したがって、この突起部３４によって、ロックスイッチ４４は載置面２と直接接触しないため、ロックスイッチ４４が移動して解除状態になることを防止することができる。
【００５４】
なお、本実施形態においては、突起部３４がベース下側部３１ｂに設けているが、ロックスイッチ４４と載置面２が接触するのを防止するためのこの突起部３４は、前面カバー２１の下側部２１ｂに設けられていてもよい。
【００５５】
ところで、本実施形態おいては、ベース載置部２５ａでのベース部３１の移動を防ぐためのロック部４１を設けておくことで、施錠状態では、使用者が意図していない時に、スタンド部３０が表示装置１から外れないようになっている。一方で、ロック部４１を形成しているスライド部４２は、使用者によってロックスイッチ４４の操作が行われる構成となっている。したがって、使用者がスタンド部３０を表示装置１に取り付けた際に、ロックスイッチ４４の操作を忘れたり、意識的にロックスイッチ４４の操作を行わなかったりすることも考えられる。このような場合には、ベース部３１が移動してしまうおそれがある。
【００５６】
また、特に、表示装置１には、スタンド部３０に突出部３２が設けられている。このような突出部３２を直接握ったりすると、スタンド部３０に前後方向の力が加わりやすく、前後方向の力が加わることで、スタンド部３０がベース載置部２５ａから離れる方向へ動き、着脱手段を形成するフック部３３ａ、３３ｂがフック係合部２６ａ、２６ｂから外れやすくなってしまう。
【００５７】
そこで、本実施形態においては、ロック部４１によってベース部３１が施錠状態になっていなくても、ベース載置部２５ａでベース部３１が移動し難くなるように、また、特にスタンド部３０に前後方向の力が加わっても、スタンド部３０がベース載置部２５ａから離れる方向へ動かないように、表示装置１にはスタンド部３０と後面カバー２３とが嵌合する嵌合部が設けられている。
【００５８】
具他的には、この嵌合部は、図４や図５に示すように、後面カバー２３に形成された嵌合凹部と、ベース部３１の内側に形成された嵌合凸部と、で形成されている。
【００５９】
なお、この嵌合凹部は、後面カバー２３の下側部２３ｂと側部２３ｃ（２３ｄ）とに渡って形成された溝からなる嵌合凹部２７ａ（２７ｂ）である。
【００６０】
また、嵌合凸部は、図５（ｂ）に示すようにベース部３１の内側に形成された、２つの嵌合凸部３５ａ、３５ｂである。嵌合凸部３５ａは、ベース下側部３１ｂの内側で、嵌合凹部２７ａと嵌合する位置に設けられている。また、嵌合凸部３５ｂは、ベース下側部３１ｂとベース側部３１ｃの内側で、嵌合凹部２７ａと嵌合する位置において、ベース下側部３１ｂとベース側部３１ｃとに渡って設けられている。なお、図示していないが、嵌合凹部２７ｂと嵌合する２つの嵌合凸部も、ベース部３１の内側に形成されている。
【００６１】
そして、嵌合凹部と嵌合凸部が嵌合することで、ベース載置部２５ａにおけるベース部３１の移動が難しくなり、また、嵌合状態では、スタンド部３０に前後方向の力が加わっても、スタンド部３０の前後方向への移動が規制されるため、着脱手段を形成するフック部３３ａ、３３ｂがフック係合部２６ａ、２６ｂから非常に外れ難くなる。なお、後面カバー２３に嵌合凸部、ベース部３１に嵌合凹部が形成されていても構わない。
【００６２】
［実施形態２］
つぎに、実施形態２の表示装置１ａについて、図７を用いて説目する。図７は、実施形
態２に係る表示装置１ａの背面斜視図である。なお、実施形態１の表示装置１と同一の構成部分には同一の参照符号を付与し、その詳細な説明は省略する。
【００６３】
本実施形態においては、スタンド部３０の突出部３２ａの形状が、図７に示すように、中心に窪みを備えたものになっている。このような形状の突出部３２ａであっても、実施形態１と同様の効果を奏することができる。また。突出部３２ａに窪みが設けられていることによって、表示装置１ａを手に持った状態で、縦方向に長い表示画面の状態で使用する場合に、使用者にとって表示装置１ａを持ちやすくなる。
【００６４】
なお、上記の実施形態では、着脱手段としてベース部３１の上端に設けられた２つのフック部３３ａ、３３ｂを示したが、フック部は、ベース側部３１ｃ、３１ｄに設けられていても構わない。また、フック部３３ａ、３３ｂ以外の着脱手段でも構わない。具体的には、例えば、着脱手段は、ベース部３１の厚みを薄くすることで、ベース部３１に弾性を持たせ、このベース部３１の弾性を利用して、後面カバー２３と係合するもの等がある。
【符号の説明】
【００６５】
１、１ａ…表示装置
２…載置面
１０…表示部
２０…筐体
２１…前面カバー
２３…後面カバー
２０ａ、２１ａ、２３ａ…上側部
２０ｂ、２１ｂ、２３ｂ…下側部
２０ｃ、２０ｄ、２１ｃ、２１ｄ、２３ｃ、２３ｄ…側部
２５…カバー部
２５ａ…ベース載置部
２６ａ、２６ｂ…フック係合部
３０…スタンド部
３１…ベース部
３１ｂ…ベース下側部
３１ｃ、３１ｄ…ベース側部
３２…突出部
３３ａ、３３ｂ…フック部
４１…ロック部
４２…スライド部
４３…ロック係合部
【図１】
2014062933.tif 000003
【図２】
2014062933.tif 000004
【図３】
2014062933.tif 000005
【図４】
2014062933.tif 000006
【図５】
2014062933.tif 000007
【図６】
2014062933.tif 000008
【図７】
2014062933.tif 000009